Podtech/llm-jp-corpus-v4-ja_patent huggingface dataset:
(57)【要約】      （修正有）【課題】工事規模がさほど大きくない現場において、平易な足場板設置を容易に架設、解体出来る梯子用足場板設置装置を提供する。【解決手段】左右の支柱とこの支柱間に複数段設置された横桟とで構成された梯子本体と、この梯子本体の、任意高さの一方横桟に一端をネジ止めされた水平アーム及びこの横桟の上下方向に隣接する他方横桟に一端をネジ止めされた傾斜アームとで成すと共に、互いの他端を反転自在に軸結合して構成した三角型受枠と、この三角型受枠を装備した前記梯子本体を左右一対に並置させると共に、それぞれの水平アームの間に橋渡しされた足場板とで成す。【選択図】図２
0003176407.tif 000002
【実用新案登録請求の範囲】
【請求項１】
左右の支柱とこの支柱間に複数段設置された横桟とで構成された梯子本体と、
この梯子本体の、任意高さの一方横桟に一端をネジ止めされた水平アーム及びこの横桟の上下方向に隣接する他方横桟に一端をネジ止めされた傾斜アームとで成すと共に、互いの他端を反転自在に軸結合して構成した三角型受枠と、
この三角型受枠を装備した前記梯子本体を左右一対に並置させると共に、それぞれの水平アームの間に橋渡しされた足場板とで成したことを特徴とした梯子。
【請求項２】
前記水平アーム及び傾斜アームは、Ｕ字型ボルトによってそれぞれの横桟に固定されたことを特徴とした請求項１記載の梯子。
【請求項３】
前記三角型受枠の上下アームは、横桟にＵ字ボルトとナツトにて締結されたことを特徴とした請求項１記載の梯子。
【考案の詳細な説明】
【技術分野】
【０００１】
本考案は、仮設足場設置において、本格的な仮設でなく簡素に設置する事に関する。
【背景技術】
【０００２】
一般的に、仮設用足場板の設置は、先ず本格的にパイプ足場を組み立てた後、その組み立てたパイプ足場の高所位置で敷設している。
然しながら、その工事規模によっては、低い位置で作業をする場合もあり、本格的なパイプ足場を必要としない場合もある。
【考案の概要】
【考案が解決しようとする課題】
【０００３】
工事規模がさほど大きくない現場において、平易な足場板設置を容易に仮設、解体出来ることとする。                                                  
【課題を解決するための手段】
【０００４】
本考案は、左右の支柱とこの支柱間に複数段設置された横桟とで構成された梯子本体と、この梯子本体の、任意高さの一方横桟に一端をネジ止めされた水平アーム及びこの横桟の上下方向に隣接する他方横桟に一端をネジ止めされた傾斜アームとで成すと共に、互いの他端を反転自在に軸結合して構成した三角型受枠と、この三角型受枠を装備した前記梯子本体を左右一対に並置させると共に、それぞれの水平アームの間に橋渡しされた足場板とで成したことを特徴としたものである。
【０００５】
更に本考案は、水平アーム及び傾斜アームは、Ｕ字型ボルトによってそれぞれの横桟に固定されたものである
【０００６】
又本考案は、三角型受枠の上下水平及び傾斜アームは、横桟にＵ字ボルトとナツトにて締結されたものである。
【考案の効果】
【０００７】
請求項１により、梯子本体を左右に並べてその左右の梯子間に足場板を橋渡しすることによって、工事規模がさほど大きくない現場において、平易な足場板９の設置を容易に架設、解体出来る。                                                  
【０００８】
請求項２により、足場板11は三角型受枠４にて支持されるので、細い受枠でも堅固に支持することができる。
【０００９】
請求項３により、踏み板の上下アームは、Ｕ字ボルトとナツトとで締結されるので、取付け及び取外しが簡単となる。
【図面の簡単な説明】
【００１０】
【図１】足場板設置装置傾斜図
【図２】同上に足場板を設置した傾斜図
【図３】三角型受け枠の正面図
【図４】同上の平面図
【図５】同上の底面図
【図６】同上の蝶番金具の正面図
【図７】同上のＵ字ボルトとナツトとの正面図
【考案を実施するための形態】
【００１１】
以下本考案を、実施形態の図面に基づいて説明する。図１は足場板設置装置の斜視図であって、梯子本体１は、左右の支柱２とこの支柱２間に複数段設置された横桟３とで構成されている。
而して、この梯子本体１の任意高さの一方横桟３と上下方向に隣接する他方横桟３との間には三角型受枠４が連結されている。
この三角型受枠４は、図３に示す如く、水平アーム５及び傾斜アーム６とで成しており、互いの基端５ａ、６ａを蝶番金具７の軸８にて反転自在に軸結合し、且つ一端５ｂ、６ｂをＵ字型ボルト９とナット１０によってそれぞれの横桟３に固定される。
この三角型受枠４を装備した梯子本体１を図２に示す如く、左右一対に並置させ、それぞれの水平アーム５の間に足場板１１を橋渡しする。
従って、低地用の足場として使用される梯子本体１を用いて、軽易な足場に利用できる。
【符号の説明】
【００１２】
１    梯子本体
２    支柱
３    横桟
４    三角型受枠
５    水平アーム
６    傾斜アーム
７    蝶番金具       
８    軸
９    Ｕ字型ボル                                              
１０  ナツト    
１１  足場板                                                   
【図１】
0003176407.tif 000003
【図２】
0003176407.tif 000004
【図３】
0003176407.tif 000005
【図４】
0003176407.tif 000006
【図５】
0003176407.tif 000007
【図６】
0003176407.tif 000008
【図７】
0003176407.tif 000009
(57)【要約】      （修正有）【課題】太陽の正面位置に合わせる事によって、フロントの視界から太陽光のみを的確かつ少しの余裕を持ってカットするピンポイントサンバイザーを提供する。【解決手段】本ピンポイントサンバイザーは、直射日光を防ぐ手段として両瞳間隔よりやや大きい寸法の遮光板１とそれを囲う一回り大きい半透明板２に変形可能な接続棒３と取付部品４を取り付けることにより、位置ずれが認識しやすいことによりピンポイントサンバイザーを任意の場所に移動させ、前方視界を大きく遮ること無く、直射日光を的確に防止することができる。【選択図】図１
0003176245.tif 000002
【実用新案登録請求の範囲】
【請求項１】
両瞳間隔より大きい寸法の遮光板と、それを囲う一回り大きい半透明の板を変形可能な接続棒材に接続部品により一端は接続し、接続棒材の他端は取付部品を取り付けることを特徴とする、太陽光を遮断するピンポイントサンバイザー。
【考案の詳細な説明】
【技術分野】
【００１】本発明は車両運転者に差し込む太陽光を防ぐために、両瞳間隔より大きい寸法の遮光板とそれを囲む一回り大きい半透明の板に変形可能な接続棒材を一端は接続部品により接続し、他端は取付部品で適宜取り付け移動させることにより、太陽の正面位置に合わせる事によって、フロントの視界から太陽光のみを的確かつ少しの余裕を持ってカットするピンポイントサンバイザーに関する。
【背景技術】
【００２】従来運転上部のヘッドライニングに取り付けられているサンバイザーを補足するスポットサンバイザーが発案されているものの操作が軸の伸縮、回転によるもので容易でないことと遮光のずれが生じた際の補正が困難で、仕掛けが大掛かりでコストも掛かるなど問題があった。
【先行技術文献】
【特許文献】
【００３】
【特許文献１】特開  ２００９−２９８３９３
【考案の概要】
【考案が解決しようとする課題】
【００４】  しかしながら、フロントガラスを透して差し込む直射日光は広い天空の中の小さな一面であり、差し込む位置はフロントガラスの一面やサイドにわたる、本発明はこの一面のみをピンポイントサンバイザーで遮光すると共に、位置ずれが生じた際には一回り大きい半透明部分でカットすることにより位置ずれを運転者に認識させることにより適宜位置調整可能として強い太陽光からドライバーの目を守ることを目的としている。
【課題を解決するための手段】
【考案の効果】
【００５】本考案のピンポイントサンバイザーは直射日光を防ぐ板を太陽の差し込む方向に自在に移動させ、これを太陽の正面位置に向けることによって強い太陽光からドライバーの目を守ることが出来るので自動車等交通間の安全に寄与する効果は大きい。
【図面の簡単な説明】
【図１】は本考案のピンポイントサンバイザーを示す。
【図２】は半透明板に濃淡をつけた代案を示す。
【図３】は上下方向の視界を広げた代案を示す。
【図４】は本考案のピンポイントサンバイザーを各所に装着した例を示す。
【実施例】
【００６】本考案の実施例を図面を用いて説明する。
図１は本考案の実施例で、円板状の遮光板１とそれを囲むように光を減光する半透明板２が一体となっている。
遮光板１の裏面には、接続部品５が接着又は一体射出成形されて接続棒３に連結されている。
接続棒は曲げることによりたわむ素材から出来ていて、終端には取付部品４が連結されていて、車輌前面窓上方に設けられている長方形状のサンバイザーに取付部品により装着される。
一例として遮光板１を９ｃｍとし半透明板２として１２．５ｃｍとすると使い勝手がよかった、遮光板１と半透明板２は２枚構成でもよいし１枚で構成してもよい。【００７】本図では接続棒３は曲げてたわむ棒材の例を示したが、伸縮するテレスコピックロッドや、複数の固定棒を屈曲接続部からなる折れ曲がり棒から構成してもよい。【００８】接続部品５は図１、図２に示すように円形の遮光板１の場合は固定式でもよいが、図３に示すように遮光板１が楕円の場合には楕円の長軸が水平になるよう回転調整が必要で角度や方向が調整できるよう回転接手や球面接手として自由度を確保することが好ましい。
取付部品４は既設のサンバイザーや運転席廻りの適宜部位に取り付けるもので、回転接手や球面接手を用いて自由度を確保した接手と、バネ性を持ったグリップやマグネット、吸盤又はそれらとの組合せからなっている。【００９】図２は本考案の遮光板１と半透明板２部分の参考例である。
図２では直射日光を完全に遮断する目的を有する両瞳間隔より大きい遮光板１と、それを囲む光を減光する内側を濃く外に向けて薄くなる色のグラデーションの半透明板２が一体となっている。
図では内側から外側に向けて色が薄くなる例を示したが黒点の濃淡でグラデーションをしてもよい。【０１０】図３は本考案の他の参考例である。
図３は直射日光を完全に遮断する目的を有する両瞳間隔より大きい遮光板１と、それを囲む光を減光する半透明板２を楕円形にした例であるが、その形状は上下方向の遮光面積を減らす目的に合致すればよく長方形等多種にわたる。【０１１】図４は本考案のピンポイントサンバイザーを普通自動車のフロント部分に装着した場合の一例である、直射日光が差し込む方向のヘッドランニング等に取り付けフロントガラスの領域を任意に移動できることによって不特定方向から差し込む直射日光を的確かつ半透明板部分で余裕をもって防ぐ事が可能となり、強い太陽光からドライバーの目を守り、交通間の安全に寄与することができる。
【符号の説明】１  遮光板
２  半透明板
３  接続棒
４  取付部品
５  接続部品
【図１】
0003176245.tif 000003
【図２】
0003176245.tif 000004
【図３】
0003176245.tif 000005
【図４】
0003176245.tif 000006
(57)【要約】      （修正有）【課題】軽量で、切断面が滑らかで、かつ作業音が静かな回転刃切削装置を提供する。【解決手段】エアモーター５で回転する回転刃６をＸＹプロッターに取り付ける。【選択図】図１
0003176250.tif 000002
【実用新案登録請求の範囲】
【請求項１】
エアモーターで回転する厚さ約２ｍｍ直径２０ｃｍ程の回転刃を持ちＸＹプロッターにセットし、板材を直線的にカットすることを特徴とする回転刃切削装置。
【請求項２】
エアモーターの取り付け角度を変えることにより板材を直線的に一定角度を保ったまま切断できることを特徴とする請求項１記載の回転刃切削装置。
【考案の詳細な説明】
【技術分野】
【０００１】  板状の材料をＸＹプロッターで加工する装置に関する。【０００２】  従来、板状の材料をＸＹプロッターで切断するにはＹ軸上にあるヘッダーに切刃をセットして縦方向に振動させながらＸ軸方向に動かして切断する方法がとられていた。【０００３】  しかるにこの方法では切断面が滑らかでなく、かつ作業音がうるさかった。
【考案が解決しようとする課題】
【０００４】  切削断面が滑らかで、かつ作業音も静かな適当な回転刃は無かった。
【０００５】  電動モーターを使用した従来の回転刃は、モーターの重量がありすぎるので、この目的には適さなかった。
【０００６】  回転刃の軽量化を図るためエアモーターの使用を試みた。
【考案の効果】
【０００７】  その結果切断面が滑らかで、かつ作業音も静かになり作業能率は向上した。
【０００８】
【考案を実施するための最良の形態】
【実施例１】
【０００９】  本考案の構成を図面に基づいて説明すると、図１はＸＹプロッターのＹ軸１に取り付けてあるヘッダー２に固定された保持棒３から関節４を介してエアモーター５があり、エアモーターには回転刃６が取り付けてある。この関節４は任意の角度で固定することができる。
【実施例２】
【００１０】図２には板状の材料を直線的にある角度で切断するやり方を示してある。
【図面の簡単な説明】
【００１１】
【図１】ＸＹプロッターのＹ軸１に取り付けてあるヘッダー２に固定された保持棒３から関節４を介してエアモーター５があり、エアモーターには回転刃６が取り付けてある。
【図２】は板状の材料を直線的にある角度で切断するやり方を示してある。エアモーターの軸をある一定角で固定してある。
【符号の簡単な説明】
【００１２】１  Ｙ軸
２  Ｙ軸に取り付けてあるヘッダー
３  保持棒
４  関節
５  エアモーター
６  回転刃
【図１】
0003176250.tif 000003
【図２】
0003176250.tif 000004
(57)【要約】      （修正有）【課題】多数のＬＥＤ光源をもつ大形の投光器などにあってもコンパクトな構成を得ることができ、しかも簡単な構造でコスト的にも優れるＬＥＤ照明装置を提供する。【解決手段】多数のＬＥＤ光源６を実装した基板５と、ＬＥＤ光源６の光放射方向に対応して前面側に光透過性カバー１０を備えたものにおいて、光透過性カバー１０を、均等厚プレート状であって全光線透過率５２〜６３％、ヘイズ９９％、分散度３７〜５５％の特性を有するポリカーボネート樹脂組成物によって構成する。この光透過性カバー１０は多数のＬＥＤ光源６に対応するように円板状とする。【選択図】図１
0003176243.tif 000002
【実用新案登録請求の範囲】
【請求項１】
多数のＬＥＤ光源を実装した基板と、上記ＬＥＤ光源の光放射方向に対応して前面側に光透過性カバーを備えたＬＥＤ照明装置において、上記光透過性カバーを、均等厚プレート状であって全光線透過率５２〜６３％、ヘイズ９９％、分散度３７〜５５％の特性を有するポリカーボネート樹脂組成物によって構成したことを特徴とするＬＥＤ照明装置。
【請求項２】
光透過性カバーを円板状に構成したことを特徴とする請求項１のＬＥＤ照明装置。
【考案の詳細な説明】
【技術分野】
【０００１】
本考案は、ＬＥＤ光源からの照射光を光拡散カバーによって効果的に配光するＬＥＤ照明装置に関するものである。
【背景技術】
【０００２】
近年、環境への意識が高揚しており、電力分野においても従来の白熱電球、蛍光灯などに代えて低消費電力、長寿命などの特性を備えたＬＥＤ(発光ダイオード)光源が多用されている。このＬＥＤ光源は、高輝度化が進み種々の形式の照明装置が提案されている。
【０００３】
このＬＥＤは点光源であり指向性が高く、前方に強い光を照射するという特性がある。このため、従来のように全方位に光を均等に分散するためには、種々の工夫が必要であり、例えば光拡散カバーを用いてこれを球状にするなど大きく張り出して対処していた。(特許文献１参照)
【０００４】
このため、多数のＬＥＤを実装基板上に配設した大容量型の投光器などにおいて上記の方策をとった場合は、照明装置の全体構成が極めて大形になってしまい、取付け設置上において大きな支障を生じた。
【０００５】
上記の投光器においては、光源の前方に光拡散レンズを備えて対応したものもあるが、多数のＬＥＤ光源のものでは光学系の設計が面倒であり、製作にも手間が掛かるところからコストの高騰を余儀なくされた。
【先行技術文献】
【特許文献】
【０００６】
【特許文献１】特開２０１０−２５７７６１号
【考案の概要】
【考案が解決しようとする課題】
【０００７】
本考案は、上記した従来技術の問題点に着目してなされたものであり、多数のＬＥＤ光源をもつ大形の投光器などにあってもコンパクトな構成を得ることができ、しかも簡単な構造でコスト的にも優れるＬＥＤ照明装置を提供しようとするものである。
【課題を解決するための手段】
【０００８】
上記の課題を解決するために、本考案に係るＬＥＤ照明装置は、多数のＬＥＤ光源を実装した基板と、上記ＬＥＤ光源の光放射方向に対応して前面側に光透過性カバーを備えたＬＥＤ照明装置において、上記光透過性カバーを、均等厚プレート状であって全光線透過率５２〜６３％、ヘイズ９９％、分散度３７〜５５％の特性を有するポリカーボネート樹脂組成物によって構成したことを第１の特徴としている。
【０００９】
さらに本考案に係るＬＥＤ照明装置は、請求項１において光透過性カバーを円板状に構成したことを第２の特徴としている。
【考案の効果】
【００１０】
上記のように構成した課題解決手段によれば、構成全体の小型化を達成することができると共に低コストにて市場に提供することができるという優れた効果を発揮する。
【図面の簡単な説明】
【００１１】
【図１】本発明に係るＬＥＤ照明装置の縦断正面図である。
【図２】同じく、一部を破断して示す底面図である。
【考案を実施するための形態】
【００１２】
照明装置の小型化と低コスト化を達成しようとする目的を、最小の部品点数をもって合理的に実現した。
【実施例１】
【００１３】
図１は本考案に係るＬＥＤ照明装置の縦断正面図にして、１はアルミダイキャストなどの軽金属によって構成した筐体  ２は筐体１の外周部に設けた多数の放熱フィン  ３は筐体１の内面側に設けた平面状の取付部  ４は筐体１の上端部に設けた口金である。
【００１４】
５は取付部３に配設した円板状の基板  ６は基板５にマウントしたＬＥＤ光源  このＬＥＤ光源６は、基板５の中心から外側に向けて多数を放射状に配列する。７は各ＬＥＤ光源６の周囲を覆う斜面状の光拡散壁８を備えたリフレクタ  ９はリフレクタ７を取付部３に固定する止めネジである。
【００１５】
１０は多数のＬＥＤ光源６に対応して前面側に配設した円板状の光透過性カバー  この光透過性カバー１０は、厚さ２ｍｍの均等厚プレートであって、全光線透過率６３％、ヘイズ９９％、分散度３７％の特性を有するポリカーボネート樹脂組成物によって構成する。
【００１６】
なお上記のポリカーボネート樹脂組成物は、拡散剤の添加料を調整することなどによって特性を加減することができ、全光線透過率５２％、ヘイズ９９％、分散度５５％の実用範囲で用いる。１１は光透過性カバー１０を取付部３に固定するリング状の固定部材である。
【００１７】
なお、上記の特性を得るために、樹脂組成物は、ポリカーボネート樹脂とポリカーボネート樹脂の屈折率差が０．０１〜０．０８で平均粒子径が５〜２０μｍの重合体微粒子を含有してなり、重合体微粒子をポリカーボネート樹脂に、重合体微粒子の平均粒子径と含有量の積で表される配合係数が６．２〜１１．８となるように含有させて組成する。
【産業上の利用可能性】
【００１８】
一実施例では、リフレクタを用いてＬＥＤ光源からの照射光を拡散したが、このリフレクタを取り付けずに照明装置を構成することもできる。
【符号の説明】
【００１９】
１  筐体
２  放熱フィン
３  取付部
４  口金
５  基板
６  ＬＥＤ光源
７  リフレクタ
１０  光透過性カバー
１１  固定部材
【図１】
0003176243.tif 000003
【図２】
0003176243.tif 000004
(57)【要約】      （修正有）【課題】一杯分のインスタント味噌汁を取り出し易くした、容器に入ったインスタント味噌汁を提供する。【解決手段】容器に入ったインスタント味噌汁はマヨネーズ容器やチューブ容器などに入ったもので、手が汚れなく、一杯分の味噌汁を出すのが簡単で、ゴミ処理も面倒でなくなり、適量を取り出し何杯でも簡単に手軽に作る事でできる。残ってもそのまま保存ができるため簡単に手軽に味噌汁を素早く作る事ができる。【選択図】図１
0003176237.tif 000002
【実用新案登録請求の範囲】
【請求項１】
絞り易く柔らかい素材でできていて出口も大きいマヨネーズ容器やチューブ容器などの容器に入ったインスタント味噌汁である。
【考案の詳細な説明】
【技術分野】
【０００１】  本考案は、インスタント味噌汁を作る時に手軽に作れるように、適量を出し１杯分の味噌汁を作り易くするものに関する。
【背景技術】
【０００２】  今までの１杯分の味噌汁の商品は小分けにになったビニールの袋などに入っていて絞り出す時に手が汚れたり、全て絞り出すのが面倒だったり、１杯づつのためゴミ処理が面倒であった、この方法だと一杯分を手軽に作る事ができる。また、残ったインスタト味噌汁は冷蔵庫で保存しておく事で、なくなるまで何杯も作る事ができる。
【考案の概要】
【考案が解決しようとする課題】
【０００３】  本考案は、上記の問題点、すなわち、１杯分の味噌汁の商品は小分けにになった物では、手が汚れたり、全て絞り出すのが面倒だったり、１杯づつのためゴミ処理が面倒であった、といった問題点を解決する事ができる、容器に入ったインスタント味噌汁を提供する事を課題とする。
【課題を解決するための手段】
【０００４】  上記課題を解決するために、本考案による容器は適量を取り出すのに絞り出し易い柔らかさがある素材でできている、マヨネーズ容器やチューブ容器などを使ったものである。
【考案の効果】
【０００５】  本考案の容器に入ったインスタント味噌汁はマヨネーズ容器やチューブ容器などに入ったもので、手が汚れなく、全て絞り出すのが簡単で、ゴミ処理も面倒でなくなり、適量を取り出し何杯でも手軽に作る事でできる。
残ってもそのまま保存ができるため手軽に味噌汁を簡単に素早く作る事ができる。
【考案を実施するための形態】
【０００６】  本考案の容器に入ったインスタント味噌汁はマヨネーズ容器やチューブ容器などに入ったもので、手が汚れなく、一杯分を取り出すのが簡単で、ゴミ処理も面倒でなくなり、適量を取り出し何杯でもなくなるまで手軽に作る事でできる。
残ってもそのまま保存ができるため味噌汁を素早く作る事ができて簡単に手軽にできる。
0003176237.tif 000003
【手続補正書】
【提出日】平成24年3月18日(2012.3.18)
【手続補正１】
【補正対象書類名】明細書
【補正対象項目名】全文
【補正方法】変更
【補正の内容】
【考案の詳細な説明】
【技術分野】
【０００１】  本考案は、インスタント味噌汁を作る時に手軽に作れるように、適量を出し１杯分の味噌汁を作り易くするものに関する。
【背景技術】
【０００２】  今までの１杯分の味噌汁の商品は小分けにになったビニールの袋などに入っていて絞り出す時に手が汚れたり、全て絞り出すのが面倒だったり、１杯づつのためゴミ処理が面倒であった、この方法だと一杯分を手軽に作る事ができる。
また、残ったインスタト味噌汁は冷蔵庫で保存しておく事で、なくなるまで何杯も作る事ができる。
【考案の概要】
【考案が解決しようとする課題】
【０００３】  本考案は、上記の問題点、すなわち、１杯分の味噌汁の商品は小分けになった物では、手が汚れたり、全て絞り出すのが面倒だったり、１杯づつのためゴミ処理が面倒であった、といった問題点を解決する事ができる、容器に入ったインスタント味噌汁を提供する事を課題とする。
【課題を解決するための手段】
【０００４】  上記課題を解決するために、本考案による容器は適量を取り出すのに絞り出し易い柔らかさがある素材でできている、マヨネーズ容器やチューブ容器などを使ったものである。
【考案の効果】
【０００５】  本考案の容器に入ったインスタント味噌汁はマヨネーズ容器やチューブ容器などに入ったもので、手が汚れなく、全て絞り出すのが簡単で、ゴミ処理も面倒でなくなり、適量を取り出し何杯でも手軽に作る事でできる。
残ってもそのまま保存ができるため手軽に味噌汁を簡単に素早く作る事ができる。
【考案を実施するための形態】
【０００６】  本考案の容器に入ったインスタント味噌汁はマヨネーズ容器やチューブ容器などに入ったもので、手が汚れなく、一杯分を取り出すのが簡単で、ゴミ処理も面倒でなくなり、適量を取り出し何杯でもなくなるまで手軽に作る事でできる。
残ってもそのまま保存ができるため味噌汁を素早く作る事ができて簡単に手軽にできる。
【図面の簡単な説明】
【０００７】
【図１】本考案の正面図
【図２】本考案の平面図
【図３】本考案の底面図
【符号の説明】
【０００８】  １  容器
２  蓋
【手続補正２】
【補正対象書類名】図面
【補正対象項目名】全図
【補正方法】変更
【補正の内容】
【図１】
0003176237.tif 000004
【図２】
0003176237.tif 000005
【図３】
0003176237.tif 000006
(57)【要約】      （修正有）【課題】喉につまった食べ物、異物等で口内を傷つけることなく取り除くことができる掃除機の吸い込み口に付けるアダプターを提供する。【解決手段】全体を柔らかな素材で形成し、口内に入れる先端部に吸引口２及び空気道口１を設け、吸引口を掃除機に付ける差込部まで連通させて吸引道を形成するとともに、空気道口を握り部まで連通させて空気道を形成する。【選択図】図１
0003176233.tif 000002
【実用新案登録請求の範囲】
【請求項１】
掃除機の吸引口に柔らかな素材のアダプタ−を差し込むことによって、喉につまった食べ物、異物等を口内を傷つけることなく、また空気道口より空気が出入りするため安全に吸引口より吸い込むか吸いつけて喉より取り出す、掃除機の吸引口に付けるアダプタ−。
【考案の詳細な説明】
【技術分野】
【０００１】  本考案は、口内の喉に詰まった食物、異物等を掃除機の吸引口に付けて取り出すアダプタ−に関するものである。
【背景技術】
【０００２】  食事中に食べ物が喉に詰まったり、子供が異物を飲み込んで喉を詰まらせたりすると、あわてて掃除機で吸い取ろうとしてそのまま筒状の先端の吸引口を口内に入れていた。
【考案の概要】
【考案が解決しようとする課題】
【０００３】  あわてて掃除機の筒状の先端の吸引口を喉の奥に入れたりすると角の部分や突起物で傷つけたり、出血して窒息の原因でもある。
【課題を解決するための手段】
【０００４】  本考案は、アダプタ−をいつも見えるところに置いておき、突然の喉詰まりのとき掃除機の吸引口に差し込んで先端部に角がなく滑らかなため口内を傷つけることなく食物、異物等を取り出す。
【考案の効果】
【０００５】  上述の様に、本考案の掃除機の吸引口に付けるアダプタ−を使えば口内を傷つけることなく食物、異物等を取り出せますし、空気道口より空気が出入りするので安全である。
【図面の簡単な説明】
【０００６】
【図１】本考案の掃除機の吸引口に付けるアダプタ−の全体図である。
【図２】本アダプタ−の断面図である。
【考案を実施するための形態】
【０００７】  アダプタ−本体は柔らかな素材で耐久性のある樹脂等で、口内に入れる先端部の角部は丸みをつける。掃除機に付ける差込部はテ−パ−状になっており密着性は保たれる。
【実施例】
【０００８】  以下、添付図面に従って実施例を説明する。４は柔らかな素材で耐久性のある樹脂等で形成されたアダプタ−本体である。３の差込部を５の掃除機の吸引口に差し込んで電源を入れる、逆の電源を入れてから差し込んでも同じです。アダプタ−を持つ時に握り部にある１の空気道口をふさがないようにして口内にアダプタ−の先端部を入れて詰まっている物を吸い取る。【０００９】  １の空気道口より７の空気道を通って空気が出入りしながら吸い取るため安全である。【００１０】  本考案のアダプタ−は柔らかい素材で作られているため、傷をつけたくない品物や貴重品のほこり取りにも最適である。
【符号の説明】
【００１１】１    空気道口
２    吸引口
３    差込部
４    アダプタ−本体
５    掃除機の吸引口
６    吸引道
７    空気道
【図１】
0003176233.tif 000003
【図２】
0003176233.tif 000004
【手続補正書】
【提出日】平成24年3月13日(2012.3.13)
【手続補正１】
【補正対象書類名】実用新案登録請求の範囲
【補正対象項目名】請求項１
【補正方法】変更
【補正の内容】
【請求項１】
全体を柔らかな素材で形成し、口内に入れる先端部に吸引口及び空気道口を設け、前記吸引口を掃除機に付ける差込部まで連通させて吸引道を形成するとともに、前記空気道口を握り部まで連通させて空気道を形成したことを特徴とする、掃除機の吸引口に付けるアダプタ−。
(57)【要約】      （修正有）【課題】多量の遺骨収納に対応できる墳墓を提供する。【解決手段】土止め用擁壁１，５を多角形にし、その内部に、孟宗竹の節目を貫通して遺骨を収納する孟宗竹筒２を間隔をおいて直立させ、そのすき間に軽石６を入れて埋蔵する。【選択図】図６
0003176231.tif 000002
【実用新案登録請求の範囲】
【請求項１】
遺骨を孟宗竹筒に、収納して軽石（シラス土壌）に埋蔵する墳墓。
【考案の詳細な説明】
【技術分野】
【０００１】本考案は、墓地形態の変化と遺体の弔い方法の多様化や、単身社会が進む中、無縁遺骨が年毎に増加している、その対策として啓発した遺骨の埋蔵方法に関わるものである。
【背景技術】
【０００２】遺体の弔い方法と、お墓の形態は時代と共に変遷し、土葬時代、遺体は墳墓で身近に祭祀されていたが、現代は火葬化により遺骨は骨壷に入れて手軽に移動し、屋外式納骨堂、屋内式納骨壇や、永代供養霊園などに、収蔵されているが現今の単身社会においては、先祖の祭祀者が絶えて、無縁遺骨が増加している。
【先行技術文献】
【非特許文献】
【０００３】
【非特許文献１】無縁遺骨の対処として、一般的に合祀墓に遺骨を無差別に捨てるような方法もあるが違和感を禁じ得ない。
【考案の概要】
【考案が解決しようとする課題】
【０００４】お墓は、大別すると公営墓地、私営墓地、寺墓地などあり、お墓の構造は火葬化された遺骨を骨壷に入れて納骨堂に収蔵する形式のものが多い為、後継者がいなくなり空洞化した家族墓には無縁遺骨が、とり残されている。
【課題を解決するための手段】
【０００５】本考案は、遺骨を骨壷のまま納骨堂に収蔵する方法とは対照的に、遺骨を骨壷から出して墳墓に埋葬するもので、墓地内の空地に高さ１メートル位の箱型の擁壁を造り、その内部にシラス土壌から採取した白無垢な軽石と遺骨埋蔵には（宗）先祖、一族の意味がある孟宗竹の節を貫通した竹筒に、一家単位で収納可能な大きさにして一体化した墳墓を構築し、竹筒の上部は開閉自在な蓋石をして多量の遺骨収納に対応できるように構成して、無縁遺骨を有縁化することで課題を解決している。
【考案の効果】
【０００６】本考案は、遺骨を収蔵する建造物（納骨堂）が不要なので、多額の建設費用を要しない、従って利用者にとっては墓使用料が格安になるので高価な永大供養霊園などを、使用できず無縁遺骨化している遺骨を減少する効果がある。【０００７】公営墓地、私営墓地などで、お墓の空洞化が進行するなか、孟宗有縁墳墓（１平方メートル当たり、約３０家分の遺骨が収容可能）を各墓地内に設置すれば、無縁遺骨は解消され有縁遺骨化する効果がある。【０００８】遺骨を収蔵する孟宗竹は、自然の竹林を有効に活用し、土壌はサラサラで均一になった白色の軽石を使用するので、直立に設置した竹筒を安定させ洗浄を助ける成分を含有している。このような自然物質で、お浄土のイメージした孟宗有縁墳墓は墓地環境保全にもつながり、さらに営利を目的とする民間事業者は目を向けず、社会的弱者の為の非営利事業者だからこそ可能な、次世代のお墓の啓発に役立つ。
【図面の簡単な説明】
【０００９】
【図１】擁壁の内部に竹筒を配列し蓋石を載せた正面図。
【図２】遺骨を収納する孟宗竹筒の正面図。
【図３】墳墓の外周を箱型に土止めした擁壁を示す正面図。
【図４】擁壁の上層部に土止めを増設した正面図。
【図５】本考案の遺骨埋蔵墓の実施例を示す正面図。
【図６】本遺骨埋蔵墓の断面図。
【考案を実施するための形態】
【００１０】火葬された遺骨は、骨壷に入れて屋外式納骨堂、屋内式納骨壇、永大供養霊園などに収蔵し祭祀される従来の形態を、本考案は遺骨を納骨堂に収蔵するのではなく個人または、一家族の遺骨を竹筒に収納し、墳墓に埋蔵して土にかえす形態である。
【実施例】
【００１１】本考案の実施を図面に基づいて説明する。図３に示すように、墓地内の空地に合わせて、四角形、多角形に軽石層を保持する為の、１．擁壁Ａをコンクリート製、石製、自然石などで囲んで墳墓の外形を造り、図２の２．孟宗竹筒の節目を貫通したものに、遺骨を収納し、図１のように、１．擁壁Ａの内部に２．孟宗竹筒を直立して、３．蓋石Ａに、４．蓋石Ｂ、をスライドさせて遺骨を収納し、収納口の上部にくる蓋石には、７．記名し、図５のように、５．擁壁Ｂで上層部を土留した後、６．軽石を敷き埋蔵する。
【符号の説明】
【００１２】１  擁壁Ａ
２  孟宗竹筒
３  蓋石Ａ
４  蓋石Ｂ
５  擁壁Ｂ
６  軽石
７  故人記名
【図１】
0003176231.tif 000003
【図２】
0003176231.tif 000004
【図３】
0003176231.tif 000005
【図４】
0003176231.tif 000006
【図５】
0003176231.tif 000007
【図６】
0003176231.tif 000008
【手続補正書】
【提出日】平成24年3月7日(2012.3.7)
【手続補正１】
【補正対象書類名】実用新案登録請求の範囲
【補正対象項目名】全文
【補正方法】変更
【補正の内容】
【実用新案登録請求の範囲】
【請求項１】
墓地内に地上１メートル位の土止め用擁壁を四角形又は多角形に構造し、その内部に孟宗竹の節目を貫通して遺骨を収納する孟宗竹筒を間隔をおいて直立し、そのすき間に軽石を入れて孟宗竹筒と軽石を１体化して埋蔵する墳墓。
(57)【要約】      （修正有）【課題】物干し竿に洗濯ハンガーを固定し、風による上下左右の揺れを少なくし、物干し竿に治っての移動や物干し竿からの落下を防止する２個で一組の洗濯ハンガー安定用補助器具を提供する。【解決手段】洗濯ハンガーの両端のフレームに、それぞれ洗濯ハンガー安定用補助器具１の接続ピンチ２のグリップホール２ｃ部分で留めて、そのピンチに装着した紐３を物干し竿に二重に巻き付け、紐のもう一端を安定用補助器具の接続ピンチに長さ調節して固定する。この洗濯ハンガー安定用補助器具により洗濯ハンガーを固定することにより、物干し竿に吊るされた洗濯ハンガーの揺れ、移動、落下を防止する。【選択図】図１
0003176234.tif 000002
【実用新案登録請求の範囲】
【請求項１】
物干し竿に吊るされた洗濯ハンガーの揺れ、移動、落下を防止するための安定用補助器具である。
【請求項２】
物干し固定用紐を物干し竿に二重に巻き付けて固定することを特徴とする請求項１に記載した器具である。
【請求項３】
物干し固定用紐を、接続ピンチのレバーやスプリングに固定することを特徴とする請求項１に記載した器具である。
【請求項４】
接続ピンチのレバーやスプリングに固定するための物干し固定用紐は、一本の紐を使用して両端を固定するか、または２本の紐の一端を接続ピンチに固定し、もう一端同士をプラスチック製バックルなどの脱着可能な部品にて接続固定することを特徴とする請求項１に記載した器具である。
【請求項５】
物干し固定用紐は、物干し竿の太さに合わせて長さを調節出来ることを特徴とする請求項１に記載した器具である。
【請求項６】
接続ピンチを洗濯ハンガーのフレームにグリップホールで固定することを特徴とする請求項１に記載した器具である。
【考案の詳細な説明】
【技術分野】
【０００１】  本考案は、物干し竿に掛けた市販の洗濯ハンガーを安定させるための補助器具に関するものである。
【背景技術】
【０００２】  市販の多数のピンチの付いた洗濯ハンガーで衣服を干す場合、物干し竿に洗濯ハンガーのフック部分を掛けるのみでの固定のため、洗濯ハンガーが、風で上下左右に揺れて干し物同士が絡まったり、物干し竿に沿って移動して隣の洗濯ハンガーに接触したりして、干し物が乾きにくくなったり、また落下して、干し物を汚したりするといった点があった。
【考案の概要】
【考案が解決しようとする課題】
【０００３】  解決しようとする課題は、物干し竿に洗濯ハンガーを固定し、風による上下左右の揺れを少なくし、物干し竿に沿っての移動や落下を防止すること。
【課題を解決するための手段】
【０００４】  本考案は、２個で一組の洗濯ハンガー安定用補助器具で、市販の洗濯ハンガーの両端のフレームに、それぞれ洗濯ハンガー安定用補助器具の接続ピンチのグリップホール部分で留めて、そのピンチに装着した紐を物干し竿に二重に巻き付け、紐のもう一端を安定用補助器具の接続ピンチに固定する。この洗濯ハンガー安定用補助器具により洗濯ハンガーを固定することにより問題を解決している。
【考案の効果】
【０００５】  物干し竿上にフックでつり下げられた洗濯ハンガーの両端に洗濯ハンガー安定用補助器具を取付けることにより、洗濯ハンガーに掛けてある干し物が風による左右上下の揺れが抑えられるとともに、物干し竿につり下げられたフックが物干し竿に沿って移動したり、物干し竿より落下するのを防止する。
【図面の簡単な説明】
【０００６】
【図１】本考案の洗濯ハンガー安定用補助器具の一実施例を示す全体図。
【図２】本考案の洗濯ハンガー安定用補助器具の図。
【考案を実施するための形態】
【０００７】  洗濯ハンガー安定用補助器具の接続ピンチのレバーを手で押さえることによりグリップホール部分を広げ、そこに洗濯ハンガーのフレームを挟み、手を離して固定する。また接続ピンチのスプリングまたはレバーなどの部分に物干し竿固定用紐の一端を結束するなどして固定し、その紐を物干し竿に二重に巻き付け、紐のもう一端を安定用補助器具の接続ピンチのスプリングまたはレバーなどの部分に、物干し竿の太さに応じて長さ調節して結束するなどして固定するか、または、２本の長さの異なる紐のそれぞれの一端をスプリングまたはレバーに結束するなどして固定し、長い紐を二重に巻き付けた後の端と短い紐の端の部分同士をプラスチック製バックルなど長さの調節と脱着が可能な固定用部品にて物干し竿の太さに応じて固定する。
【実施例】
【０００８】  以下、添付図面に従って実施例を説明します。図１は、本発明の洗濯ハンガー安定用補助器具の実施例を示す全体図です。洗濯ハンガー安定用補助器具１は、接続ピンチ２と物干し固定用紐３より構成する。図２に示すように、接続ピンチはレバー２ａを手で押さえることによりスプリング２ｂの作用によりグリップホール２ｃを拡げ、洗濯ハンガーのフレーム５ｂを掴み、洗濯ハンガーに固定する。また、物干し固定用紐３は、耐久性のあるビニール等の素材にて作られた物とし、干し竿４に二重に巻き付ける。物干し固定用紐は、一本の紐３ａを使用し、長さ調整して接続固定するか、または二本の紐３ｂの一端同士がプラスチック製バックル３ｂなどの長さ調整と脱着が可能な部品にて接続固定する。
【符号の説明】
【０００９】１  洗濯ハンガー安定用補助器具
２  接続ピンチ
２ａ接続ピンチのレバー
２ｂ接続ピンチのスプリング
２ｃ接続ピンチのグリップホール
３  物干し固定用紐
３ａ物干し固定用紐（一本の紐による固定式）
３ｂ物干し固定用紐（二本の紐による着脱式）
３ｃ物干し固定用紐の脱着用バックル
４  物干し竿
５ａ洗濯ハンガーのフック
５ｂ洗濯ハンガーのフレーム
５ｃ洗濯ハンガーのピンチ
【図１】
0003176234.tif 000003
【図２】
0003176234.tif 000004
【手続補正書】
【提出日】平成24年3月13日(2012.3.13)
【手続補正１】
【補正対象書類名】実用新案登録請求の範囲
【補正対象項目名】全文
【補正方法】変更
【補正の内容】
【実用新案登録請求の範囲】
【請求項１】
市販の洗濯ハンガーを接続する接続ピンチと、市販の物干し竿を接続する物干し固定用紐で構成された器具で、一対よりなり、洗濯ハンガーの両端のそれぞれのフレームと物干し竿とを固定させ、揺れ、移動、落下を防止するための安定用補助器具。
【請求項２】
安定用補助器具を構成する物干し固定用紐を、市販の物干し竿に二重に巻き付けて固定することを特徴とする請求項１に記載した安定用補助器具。
【請求項３】
安定用補助器具を構成する物干し固定用紐は、一本の紐を使用して両端を固定するか、または２本の紐の一端を接続ピンチに固定し、もう一端同士をプラスチック製バックルなどの脱着可能な部品にて接続固定することを特徴とする請求項１に記載した安定用補助器具。
(57)【要約】      （修正有）【課題】水槽底面コーナー部が直角部でなく、丈夫で、外側透明板に傷がつきにくい携帯用小型水槽を提供する。【解決手段】両側面、底面、天面を一体化した本体枠１に２枚の板を接着して水槽を構成し、前面板２は透明板、背面板３は不透明板として背景を単純化し、底面形状を前面から見てＵ字型となるよう、両コーナーを曲線として直角部を設けず、板面４隅に突起した緩衝体をつけて、携帯ケースと透明板の間に空間を設け、外部からの損傷を防ぐ。  【選択図】図１
0003176238.tif 000002
【実用新案登録請求の範囲】
【請求項１】
両側面、底面、天面を一体化した本体枠の平行する２面に透明板または不透明板を接着した携帯用水槽。
【請求項２】
本体枠の底面コーナーを曲面とした携帯用水槽。
【請求項３】
前面板と背面板の４隅に緩衝体を取りつけた携帯用水槽。
【考案の詳細な説明】
【技術分野】
【０００１】
本考案は、野外で水生小動物を入れて観察、撮影するのに適した携帯用小型水槽に関するものである。
【背景技術】
【０００２】
従来の該目的の水槽は透明板５面の直交部を接着固定し、天面を解放又は蓋付とした箱型が一般的である。（例えば、特許文献１参照）。
【先行技術文献】
【特許文献】
【０００３】
【特許文献１】登録実用新案第３１０１１５４号
【考案の概要】
【考案が解決しようとする課題】
【０００４】
本考案は５面透明板張り水槽の、次のような不都合を解決しようとするものである。水槽に入れられた小動物はその習性から底面コーナーの直角部に身を寄せるため、動物体の一部が側壁で屈曲して不自然な姿となる。撮影するときコーナーの動物体と共に側板や底板の断面（接着面）も一緒に写り、動物体が透明板の内面に反射して二重に写り、見苦しい写真となる。また、背面が透明板では動物体と共に背景が写り込んで煩雑な写真となる。板を組み合わせる構造では、接着面積は板の厚さに支配される。一般的に使用される３ｍｍ程度の板厚では、接着面積が十分にとれないためシール不良による水漏れが生じ易い。ケースに収納して携帯するとき、水槽の透明板が器壁と擦れて傷がつく。
【課題を解決するための手段】
【０００５】
両側面、底面、天面を一体化して本体枠とし、平行する２面に板を接着して容器を構成する。すなわち、図１のように本体枠１に透明な前面板２と、不透明な背面板３を接着する。板の４隅に突起した緩衝体４を接着する。底面形状を前面から見てＵ字型となるように両コーナーを曲線として直角部をつくらない。本体枠の内側（接液部）は反射を抑制するために粗面とする。
【考案の効果】
【０００６】
小動物が底面コーナーに身を寄せることに起因する撮影上の課題が改善される。すなわち、板の断面など余分なものが写り込まず、背景が単純化された明快な写真が得られる。図１に示すように、天面は蓋として機能するので小動物の飛び出しを抑制する。本体枠と板との接着面積を十分とれるので水漏れが生じない。突起した４隅の緩衝体は携帯用ケースに収納したとき透明板の傷つきを防止し、水槽を手に持つときの滑り止めとしても有効である。
【図面の簡単な説明】
【０００７】
【図１】本考案の斜視図である。
【図２】正面図である
【図３】平面図である。
【図４】Ａ〜Ａ断面図である。
【図５】Ｂ〜Ｂ断面図である。
【考案を実施するための形態】
【０００８】
本体枠１は直方体ブロックの内部をくり抜いた形状で、底面のコーナーは曲面である。本体枠の前面に透明板を、背面に不透明板を接着した単純な構造の水槽である。
【実施例】
【０００９】
一例として、合成樹脂発泡体のブロックで本体枠１を製作した。撮影が主目的の水槽では本体枠の前面に透明ガラス板を、背面にスリガラス板を、本体枠の内面に薄く砂を、それぞれ透明な耐水性接着剤を用いて接着した。観察が主目的の水槽では両面を透明板とする。ガラス板の４隅に合成樹脂の緩衝体を接着した。
【産業上の利用可能性】
【００１０】
学校教材、野外観察・撮影用具、学術研究分野での利用が考えられる。
【符号の説明】
【００１１】
１本体枠
２前面板
３背面板
４緩衝体
【図１】
0003176238.tif 000003
【図２】
0003176238.tif 000004
【図３】
0003176238.tif 000005
【図４】
0003176238.tif 000006
【図５】
0003176238.tif 000007
【手続補正書】
【提出日】平成24年4月2日(2012.4.2)
【手続補正１】
【補正対象書類名】実用新案登録請求の範囲
【補正対象項目名】全文
【補正方法】変更
【補正の内容】
【実用新案登録請求の範囲】
【請求項１】
両側面、底面、天面を一体化した本体枠の前面に透明板を、背面に透明板又は不透明板を接着した携帯用水槽。
【請求項２】
本体枠の底面コーナーを曲面としたことを特徴とする請求項１記載の携帯用水槽。
【請求項３】
前面板および背面板の４隅に緩衝体を取りつけたことを特徴とする請求項１記載の携帯用水槽。
【手続補正２】
【補正対象書類名】明細書
【補正対象項目名】０００５
【補正方法】変更
【補正の内容】
【０００５】
両側面、底面、天面を一体化して本体枠とし、本体枠の前面と背面に板を接着して容器を構成する。すなわち、図１のように本体枠１に透明な前面板２と、不透明な背面板３を接着する。板の４隅に突起した緩衝体４を接着する。底面形状を前面から見てＵ字型となるように両コーナーを曲線として直角部をつくらない。本体枠の内側（接液部）は反射を抑制するために粗面とする。
(57)【要約】      （修正有）【課題】ゴルフパターにおいて、地面からの高さが一定する様に、パタの底部に下駄を履かせて２段型に形成することで安定してパターの芯でボールをヒット出来るようにした２段型ゴルフパターを提供する。【解決手段】打球面が略長方形であり打球面の片側にシャフトが設けられたゴルフパターの底部に、厚さ０．６〜０．９ｃｍの板状部材をシャフト側から１ｃｍ内側にずらして取り付けることで底部に段差を持たせ、さらに板状部材のシャフト側の角に丸みを持たせて２段型ゴルフパターを形成する。使用する時は、ゴルフボールの右側にセットして、振り子のように右に引き、距離に合った強さでヒットさせれば良い。【選択図】図２
0003176236.tif 000002
【実用新案登録請求の範囲】
【請求項１】
従来の長方形のパタ−の底部に（１）、１ｃｍ下げて、底部の前の部分に丸みをつけ、０．７〜０．９ｃｍの２段目（２）を貼り付けている感じで底部に段差を造ることを特徴とする、２段型ゴルフパタ−。
【請求項２】
従来品のゴルフパタ−の型に合わせた接着・接合可能な下部の取付けによる、２段式ゴルフパタ−。
【考案の詳細な説明】
【技術分野】
【０００１】この考案は、従来のゴルフパタ−に下駄を履かせた２段型パタ−に関するものである。
【背景技術】
【０００２】従来厚さが２．５ｃｍ〜３ｃｍで、ボ−ルにヒットする面が長方形又は台形で、後方のデザインが四角・半円・三角等に工夫されている。
【先行技術文献】
【特許文献】
【０００３】
【特許文献１】項番２  特許公開２０１１−１８２９５９  ゴルフパタ−
【特許文献２】項番５  特許公開２０１１−１１０３２１  ゴルフパタ−
【考案の概要】
【考案が解決しようとする課題】
【０００４】今ゴルフボ−ル高さが４．５ｃｍでパタ−のヘッドの厚みが２．５ｃｍ〜３．０ｃｍ、ボ−ルの中心の高さは２．２５ｃｍで２．５ｃｍのパタ−なら芯の高さは１．２５センチで誤差が１ｃｍ、うまくヒットさせるには、アッパ−に打つか、ダウンに打つか、少し浮かせて水平にヒットさせるかアッパ−に打つべく引き上げ下ろし損なうと地面に引っかかる、いわゆるダフる、何故なら底面の形状が９０度になっているから。
パタ−のストロ−クに際しては必ずヘッドを浮かす行為が最初に来る、どの程度浮かせるかが、上り・下り・スライス・フック・ストレ−トと考えると、その都度浮かす高さが微妙に違うから確実にヒットさせたい気持ちが、迷いを生む、想いは確実にカップインさせたい、その為に、１ｍを１０回打って１００％カップインをめざし、毎日３時間練習しても達成出来ずにイップス病で、手が震え打てないに陥る。
本考案は、以上のような欠点をなくす為になされたものである。
【考案が解決する為の手段】
【０００５】従来の長方形のパタ−の底部に（１）、１ｃｍ下げて、底部の前の部分に丸みをつけ、０．６〜０．９ｃｍの２段目（２）を貼り付けてている感じで底部に段差を造ることを特徴とする。
本考案は以上の構成よりなる２段型ゴルフパタ−である。
【考案の効果】
【０００６】２段にて、底部の２段目の角が丸くなっており、ダフることがない。
ストロ−クの前のセットの段階で、ヘッドの浮かし具合を気にすることなく構えて振り子の動作で、ボ−ルの芯をパタ−ヘッドがとらえる。
ゴルフのやりはじめは外れて悔しい思いがすくないので気楽にポンと打っていたが、回を重ねる度に入れたい、外したくないがつのり、気持ちが高揚、何とかしたいの思いが頭の中を駆け巡る中、アドレスに入ってもパタ−を構えても、パタ−ヘッドが浮いている感じは全くしない、地面からグリ−ン上からどの程度吊り上げに神経を使うことなく、構えれば、ボ−ルの芯を捉える位置にあり浮かす事に神経を使うことなく、アドレスの最初の不安が取除かれると実にリラックスしてストロ−クが出来、かなりの確率でボ−ルの芯をパタ−の芯が捉え、プロの回転のオ−バ−スピンが簡単に打ててしまう、ボ−ルの芯をパタ−の芯が捕らえたいい音が自信につながる。
【図面の簡単な説明】
【０００７】
【図１】従来のゴルフパタ−の底面図と右側面図である。
【図２】本考案の底面図と右側面図である。
【考案を実施する為の形態】
【０００８】以下、本考案を実施する為の形態について説明する。
従来のゴルフパタ−の底部（１）に左側最前線の角より１ｃｍを右側にずらし、最前部は丸みを持たせた、高さ０．８ｃｍの板状を右端までの長方物（２）を結合させ固定する、完成品は一体物である。
本考案は以上の様な構造である。
本考案を使用する時は、ゴルフボ−ルの右側にセツトして、振り子の様に右に引き、距離に合った強さでヒットさせれば良い。
【図１】
0003176236.tif 000003
【図２】
0003176236.tif 000004
【手続補正書】
【提出日】平成24年3月15日(2012.3.15)
【手続補正１】
【補正対象書類名】実用新案登録請求の範囲
【補正対象項目名】全文
【補正方法】変更
【補正の内容】
【実用新案登録請求の範囲】
【請求項１】
打球面が略長方形であり打球面の片側にシャフトが設けられたゴルフパタ−の底部に、厚さ０．６〜０．９ｃｍの板状部材をシャフト側から１ｃｍ内側にずらして取り付けることで底部に段差を持たせ、さらに板状部材のシャフト側の角に丸みを持たせたことを特徴とする２段型ゴルフパタ−。